【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
始動入賞手段による遊技球の入賞検知を契機に、図柄変動ゲームにて特別表示結果が表示されるか否かを判定する結果判定手段と、
予め決められた成立条件が成立した場合、複数種類の特別遊技のうち、遊技者にとってより有利な第１特別遊技を付与する特別遊技付与手段と、
前記結果判定手段に基づき、図柄変動ゲームの演出時間を複数種類の演出時間の中から決定する演出時間決定手段と、
前記演出時間決定手段が決定した演出時間の図柄変動ゲームを実行させる演出制御手段と、
少なくとも前記特別遊技付与手段が第１特別遊技を付与する場合には、第１特別遊技が付与されることを示唆する示唆演出を当該示唆演出の実行時期を特定可能な情報をもとに実行させることができる示唆演出実行制御手段と、
前記示唆演出を実行する示唆演出実行手段と、
前記情報をもとに特定される前記示唆演出の実行時期又は実行時期に対応する対応時期において、前記始動入賞手段に予め決められた個数の遊技球が入賞検知されたか否かを判定する入賞個数判定手段と、
前記情報をもとに、前記示唆演出の実行時期又は実行時期に対応する対応時期を予告する予告演出を実行させる予告演出実行制御手段と、
前記予告演出を実行する予告演出実行手段と、を備え、
前記示唆演出実行制御手段は、前記入賞個数判定手段の判定結果が肯定の場合、前記示唆演出実行手段に前記示唆演出を実行させ、
前記予告演出の実行時期及び前記示唆演出の実行時期は、図柄変動ゲーム開始から特別遊技が終了するまでの間に設定されるとともに、前記予告演出は前記示唆演出よりも前に実行されることを特徴とする遊技機。
【請求項２】
始動入賞手段による遊技球の入賞検知を契機に、図柄変動ゲームにて特別表示結果が表示されるか否かを判定する結果判定手段と、
予め決められた成立条件が成立した場合、複数種類の特別遊技のうち、遊技者にとってより有利な第１特別遊技を付与する特別遊技付与手段と、
前記結果判定手段に基づき、図柄変動ゲームの演出時間を複数種類の演出時間の中から決定する演出時間決定手段と、
前記演出時間決定手段が決定した演出時間の図柄変動ゲームを実行させる演出制御手段と、
少なくとも前記特別遊技付与手段が第１特別遊技を付与する場合には、第１特別遊技が付与されることを示唆する示唆演出を当該示唆演出の実行時期を特定可能な情報をもとに実行させることができる示唆演出実行制御手段と、
前記示唆演出を実行する示唆演出実行手段と、
前記情報をもとに特定される前記示唆演出の実行時期又は実行時期に対応する対応時期において、前記始動入賞手段に予め決められた個数の遊技球が入賞検知されたか否かを判定する入賞個数判定手段と、
遊技機に供給される電源電圧が遮断される際に、前記示唆演出実行制御手段が前記示唆演出を実行させるために用いる前記情報をバックアップ情報として記憶する情報記憶手段と、を備え、
前記示唆演出実行制御手段は、前記入賞個数判定手段の判定結果が肯定の場合、前記示唆演出実行手段に前記示唆演出を実行させ、
前記示唆演出の実行時期は、図柄変動ゲーム開始から特別遊技が終了するまでの間に設定され、
前記情報には、図柄変動ゲームの表示結果に関する情報を含み、
前記演出制御手段は、復電時において、前記バックアップ情報をもとに前記結果判定手段の判定結果が肯定である場合に表示させるべき前記特別表示結果を表示させることを特徴とする遊技機。
【請求項３】
始動入賞手段を有する始動入賞口が配置されている遊技盤と、
遊技盤に配設されており、特別遊技が付与された場合に開閉される特別入賞手段と、
前記特別入賞手段に遊技球が入賞した際には予め定められた第１個数の賞球を払い出すとともに、前記始動入賞口に遊技球が入賞した際には予め定められた第２個数の賞球を払い出す賞球払出手段と、
前記始動入賞手段による遊技球の入賞検知を契機に、図柄変動ゲームにて特別表示結果が表示されるか否かを判定する結果判定手段と、
予め決められた成立条件が成立した場合、複数種類の特別遊技のうち、遊技者にとってより有利な第１特別遊技を付与する特別遊技付与手段と、
前記結果判定手段に基づき、図柄変動ゲームの演出時間を複数種類の演出時間の中から決定する演出時間決定手段と、
前記演出時間決定手段が決定した演出時間の図柄変動ゲームを実行させる演出制御手段と、
少なくとも前記特別遊技付与手段が第１特別遊技を付与する場合には、第１特別遊技が付与されることを示唆する示唆演出を実行させることができる示唆演出実行制御手段と、
前記示唆演出を実行する示唆演出実行手段と、
前記示唆演出の実行時期又は実行時期に対応する対応時期において、前記始動入賞手段に予め決められた個数の遊技球が入賞検知されたか否かを判定する入賞個数判定手段と、
前記示唆演出の実行時期又は実行時期に対応する対応時期を予告する予告演出を実行させる予告演出実行制御手段と、
前記予告演出を実行する予告演出実行手段と、を備え、
前記示唆演出実行制御手段は、前記入賞個数判定手段の判定結果が肯定の場合、前記示唆演出実行手段に前記示唆演出を実行させ、
前記予告演出の実行時期及び前記示唆演出の実行時期は、図柄変動ゲーム開始から特別遊技が終了するまでの間に設定されるとともに、前記予告演出は前記示唆演出よりも前に実行され、
前記特別入賞手段に入賞した遊技球が予め定められた個数に達することを、特別入賞手段が閉鎖する終了条件として少なくとも含まれ、
前記遊技盤には、前記始動入賞口及び前記特別入賞手段に加え、遊技球の転動方向を変更する障害部材が配設されており、
前記始動入賞口、前記特別入賞手段、及び前記障害部材は、
前記遊技盤に対して第１方向と第２方向のうち何れの方向に遊技球を打ち出した場合でも前記特別入賞手段に遊技球が入賞可能となる一方で、前記第２方向に遊技球を打ち出した場合には前記第１方向に遊技球を打ち出した場合と比較して前記始動入賞口に遊技球が入賞し難くなるとともに、前記第２方向に遊技球を打ち出した場合には前記１方向に遊技球を打ち出した場合と比較して遊技球を打ち出してから当該遊技球が前記特別入賞手段まで転動する平均時間が短くなるように、かつ同じ特別遊技が付与されたときに、前記第１方向に遊技球を打ち出した場合に前記始動入賞口と前記特別入賞手段に遊技球が入賞することで前記賞球払出手段によって払い出される賞球の合計個数から大当り遊技中に前記第１方向へ打ち出した遊技球の個数を差し引いた第１賞球数と、前記第２方向に遊技球を打ち出した場合に前記始動入賞口と前記特別入賞手段に遊技球が入賞することで前記賞球払出手段によって払い出される賞球の合計個数から大当り遊技中に前記第２方向へ打ち出した遊技球の個数を差し引いた第２賞球数と、が同等の個数となるように、前記遊技盤に配設されていることを特徴とする遊技機。
【請求項４】
特別遊技が付与された場合、特別遊技の開始を示すオープニング演出と、予め決められた複数回のラウンド演出と、特別遊技の終了を示すエンディング演出を、実行させる特別遊技演出実行手段を備え、
前記第１特別遊技は、当該第１特別遊技の終了後に、前記結果判定手段の当選確率が通常よりも高確率となる確変状態が付与される確変特別遊技であり、
前記示唆演出の実行時期は、予め決められたラウンド演出中、エンディング演出中、又は特別表示結果が表示されてから図柄変動ゲームが終了するまでの間のいずれかに設定されることを特徴とする請求項１〜請求項３のうちいずれか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、始動入賞手段による遊技球の入賞検知を契機に、図柄変動ゲームにて特別表示結果が表示されるか否かを判定する結果判定手段と、予め決められた成立条件が成立した場合、複数種類の特別遊技のうち、遊技者にとってより有利な第１特別遊技を付与する特別遊技付与手段と、前記結果判定手段に基づき、図柄変動ゲームの演出時間を複数種類の演出時間の中から決定する演出時間決定手段と、前記演出時間決定手段が決定した演出時間の図柄変動ゲームを実行させる演出制御手段と、少なくとも前記特別遊技付与手段が第１特別遊技を付与する場合には、第１特別遊技が付与されることを示唆する示唆演出を当該示唆演出の実行時期を特定可能な情報をもとに実行させることができる示唆演出実行制御手段と、前記示唆演出を実行する示唆演出実行手段と、前記情報をもとに特定される前記示唆演出の実行時期又は実行時期に対応する対応時期において、前記始動入賞手段に予め決められた個数の遊技球が入賞検知されたか否かを判定する入賞個数判定手段と、前記情報をもとに、前記示唆演出の実行時期又は実行時期に対応する対応時期を予告する予告演出を実行させる予告演出実行制御手段と、前記予告演出を実行する予告演出実行手段と、を備え、前記示唆演出実行制御手段は、前記入賞個数判定手段の判定結果が肯定の場合、前記示唆演出実行手段に前記示唆演出を実行させ、前記予告演出の実行時期及び前記示唆演出の実行時期は、図柄変動ゲーム開始から特別遊技が終了するまでの間に設定されるとともに、前記予告演出は前記示唆演出よりも前に実行されることを要旨とする。
【手続補正３】
【補正対象書類名】明細書
【補正対象項目名】０００８
【補正方法】変更
【補正の内容】
【０００８】
請求項２に記載の発明は、始動入賞手段による遊技球の入賞検知を契機に、図柄変動ゲームにて特別表示結果が表示されるか否かを判定する結果判定手段と、予め決められた成立条件が成立した場合、複数種類の特別遊技のうち、遊技者にとってより有利な第１特別遊技を付与する特別遊技付与手段と、前記結果判定手段に基づき、図柄変動ゲームの演出時間を複数種類の演出時間の中から決定する演出時間決定手段と、前記演出時間決定手段が決定した演出時間の図柄変動ゲームを実行させる演出制御手段と、少なくとも前記特別遊技付与手段が第１特別遊技を付与する場合には、第１特別遊技が付与されることを示唆する示唆演出を当該示唆演出の実行時期を特定可能な情報をもとに実行させることができる示唆演出実行制御手段と、前記示唆演出を実行する示唆演出実行手段と、前記情報をもとに特定される前記示唆演出の実行時期又は実行時期に対応する対応時期において、前記始動入賞手段に予め決められた個数の遊技球が入賞検知されたか否かを判定する入賞個数判定手段と、遊技機に供給される電源電圧が遮断される際に、前記示唆演出実行制御手段が前記示唆演出を実行させるために用いる前記情報をバックアップ情報として記憶する情報記憶手段と、を備え、前記示唆演出実行制御手段は、前記入賞個数判定手段の判定結果が肯定の場合、前記示唆演出実行手段に前記示唆演出を実行させ、前記示唆演出の実行時期は、図柄変動ゲーム開始から特別遊技が終了するまでの間に設定され、前記情報には、図柄変動ゲームの表示結果に関する情報を含み、前記演出制御手段は、復電時において、前記バックアップ情報をもとに前記結果判定手段の判定結果が肯定である場合に表示させるべき前記特別表示結果を表示させることを要旨とする。
【手続補正４】
【補正対象書類名】明細書
【補正対象項目名】０００９
【補正方法】変更
【補正の内容】
【０００９】
請求項３に記載の発明は、始動入賞手段を有する始動入賞口が配置されている遊技盤と、遊技盤に配設されており、特別遊技が付与された場合に開閉される特別入賞手段と、前記特別入賞手段に遊技球が入賞した際には予め定められた第１個数の賞球を払い出すとともに、前記始動入賞口に遊技球が入賞した際には予め定められた第２個数の賞球を払い出す賞球払出手段と、前記始動入賞手段による遊技球の入賞検知を契機に、図柄変動ゲームにて特別表示結果が表示されるか否かを判定する結果判定手段と、予め決められた成立条件が成立した場合、複数種類の特別遊技のうち、遊技者にとってより有利な第１特別遊技を付与する特別遊技付与手段と、前記結果判定手段に基づき、図柄変動ゲームの演出時間を複数種類の演出時間の中から決定する演出時間決定手段と、前記演出時間決定手段が決定した演出時間の図柄変動ゲームを実行させる演出制御手段と、少なくとも前記特別遊技付与手段が第１特別遊技を付与する場合には、第１特別遊技が付与されることを示唆する示唆演出を実行させることができる示唆演出実行制御手段と、前記示唆演出を実行する示唆演出実行手段と、前記示唆演出の実行時期又は実行時期に対応する対応時期において、前記始動入賞手段に予め決められた個数の遊技球が入賞検知されたか否かを判定する入賞個数判定手段と、前記示唆演出の実行時期又は実行時期に対応する対応時期を予告する予告演出を実行させる予告演出実行制御手段と、前記予告演出を実行する予告演出実行手段と、を備え、前記示唆演出実行制御手段は、前記入賞個数判定手段の判定結果が肯定の場合、前記示唆演出実行手段に前記示唆演出を実行させ、前記予告演出の実行時期及び前記示唆演出の実行時期は、図柄変動ゲーム開始から特別遊技が終了するまでの間に設定されるとともに、前記予告演出は前記示唆演出よりも前に実行され、前記特別入賞手段に入賞した遊技球が予め定められた個数に達することを、特別入賞手段が閉鎖する終了条件として少なくとも含まれ、前記遊技盤には、前記始動入賞口及び前記特別入賞手段に加え、遊技球の転動方向を変更する障害部材が配設されており、前記始動入賞口、前記特別入賞手段、及び前記障害部材は、前記遊技盤に対して第１方向と第２方向のうち何れの方向に遊技球を打ち出した場合でも前記特別入賞手段に遊技球が入賞可能となる一方で、前記第２方向に遊技球を打ち出した場合には前記第１方向に遊技球を打ち出した場合と比較して前記始動入賞口に遊技球が入賞し難くなるとともに、前記第２方向に遊技球を打ち出した場合には前記１方向に遊技球を打ち出した場合と比較して遊技球を打ち出してから当該遊技球が前記特別入賞手段まで転動する平均時間が短くなるように、かつ同じ特別遊技が付与されたときに、前記第１方向に遊技球を打ち出した場合に前記始動入賞口と前記特別入賞手段に遊技球が入賞することで前記賞球払出手段によって払い出される賞球の合計個数から大当り遊技中に前記第１方向へ打ち出した遊技球の個数を差し引いた第１賞球数と、前記第２方向に遊技球を打ち出した場合に前記始動入賞口と前記特別入賞手段に遊技球が入賞することで前記賞球払出手段によって払い出される賞球の合計個数から大当り遊技中に前記第２方向へ打ち出した遊技球の個数を差し引いた第２賞球数と、が同等の個数となるように、前記遊技盤に配設されていることを要旨とする。
【手続補正５】
【補正対象書類名】明細書
【補正対象項目名】０１４８
【補正方法】変更
【補正の内容】
【０１４８】
（イ）図柄変動ゲームの表示結果の種類を決定する表示結果決定手段を備え、前記演出制御手段は、表示結果決定手段が決定した表示結果を表示させるように構成されており、前記表示結果決定手段は、第１特別遊技が付与される場合には、最終的な表示結果としての第１特別表示結果を決定し、第１特別遊技以外の第２特別遊技が付与される場合には、第１特別表示結果とは異なる第２特別表示結果を最終的な表示結果として決定する。
【手続補正６】
【補正対象書類名】明細書
【補正対象項目名】０１４９
【補正方法】変更
【補正の内容】
【０１４９】
（ロ）前記表示結果決定手段は、前記結果判定手段の判定結果と、成立条件の成否に応じて最終的に表示させる表示結果の種類を決定し、前記演出制御コマンドは、示唆演出実行前に表示させる表示結果の種類と、示唆演出実行後に最終的に表示させる表示結果の種類に関する情報を含ませて出力される。
【手続補正７】
【補正対象書類名】明細書
【補正対象項目名】０１５０
【補正方法】変更
【補正の内容】
【０１５０】
（ハ）前記演出制御コマンドには、図柄変動ゲームの表示結果に関する情報が含まれており、遊技機に供給される電源電圧が遮断される際、前記出力手段が出力した演出制御コマンドをバックアップ情報として記憶する遊技情報記憶手段を備え、前記演出制御手段は、復電時において、バックアップ情報として記憶された演出制御コマンドに基づき、遮断前の特別表示結果を表示させる。